(57)【特許請求の範囲】
【請求項１】
記録媒体を収納するマガジンを装填するマガジン装填部と、前記マガジン内の記録媒体を駆動する駆動部が設けられた記録媒体駆動装置において、
前記マガジン装填部にはマガジンを案内する案内面が設けられ、この案内面には、マガジンの挿入方向と交叉する交叉方向に延びる長孔と、この長孔に対し前記交叉方向に間隔を開けて設けられた制御孔とが設けられ、この制御孔は、前記挿入方向に沿って延びる案内部と、この案内部から前記交叉方向へ曲がるロック部とを有すると共に、
前記長孔に第１の突部が、前記制御孔に第２の突部がそれぞれ案内されて設けられ、少なくとも第２の突部はマガジンの排出方向および前記ロック部内に入り込む方向へ付勢部材によって付勢され、
前記マガジンには、挿入方向へ延びて前記第１の突部と第２の突部のそれぞれに案内される一対のガイド部と、前記第２の突部が前記ロック部に入り込む方向へ移動したときに、前記第１の突部と第２の突部がそれぞれ係合する一対のロック凹部とが設けられていることを特徴とするマガジン装填式の記録媒体駆動装置。
【請求項２】
前記第１の突部と第２の突部は共に支持板上に設けられ、前記長孔と前記制御孔のロック部は、マガジン挿入方向とほぼ直交する方向へ互いに平行に延び、前記制御孔の案内部は、前記第２の突部がロック部から外れる位置まで移動したときに前記第１の突部が移動する位置を中心とする円弧軌跡上に位置している請求項１記載のマガジン装填式の記録媒体駆動装置。
【請求項３】
マガジン装填部からマガジンを排出するときに、前記付勢部材の付勢力に抗して前記第２の突部を制御孔のロック部から外れる方向へ移動させる押圧力を前記支持板に与えるロック解除駆動部材が設けられている請求項１または２記載のマガジン装填式の記録媒体駆動装置。
【発明の詳細な説明】
【０００１】
【発明の属する技術分野】
本発明は、記録媒体を収納したマガジンが装填される記録媒体駆動装置に係わり、特に装置本体内でマガジンを確実に案内し且つ固定できるようにしたマガジン装填式の記録媒体駆動装置に関する。
【０００２】
【従来の技術】
図６は従来のマガジン装填式の記録媒体駆動装置を示す平面図、図７はマガジンの挿入時又は排出時を示す平面図、図８はマガジンのロック状態を示す図６のＶＩＩＩ−ＶＩＩＩ線断面図である。
【０００３】
図６に示す符号２は、複数のディスク（記録媒体）Ｄを収容可能なマガジンを示している。ディスクＤは、例えばＣＤ（コンパクトディスク）やＤＶＤ（ディジタルバーサタイルディスク）などであり、これらディスクＤはマガジン２内に高さ方向に積層されたトレイ（図示せず）上に載置されている。あるいは、ディスクＤがカートリッジ内に収納されているＭＤ（ミニディスク）などである場合には、カートリッジごとに高さ方向に積層されている。
【０００４】
マガジン２の挿入方向（図示Ｙ１方向）の端面には開口部２Ａが設けられており、ディスクＤはこの開口部２Ａを通じてマガジン２内に収容され、また開口部２Ａからマガジン２内のディスクＤが取り出される。
【０００５】
図６の符号１は、マガジン装填式の記録媒体駆動装置の一例である車載用のディスク装置を示している。このディスク装置１は図示Ｙ１側がディスク駆動領域であり、Ｙ２側の端部に各種の操作スイッチやマガジン挿入口などを有する正面パネル１ａが設けられている（図示せず）。そして、前記マガジン２は、前記マガジン挿入口を通じてディスク装置１に装着される。またマガジン２の底面２Ｂには、マガジン挿入方向（図示Ｙ方向）に延びるガイド溝２ａが形成されている。ガイド溝２ａの図示Ｙ１側の先端部には、傾斜部２ｂが形成され、またＹ２側の終端には、ロック凹部２ｃが図示Ｘ２方向に形成されている。
【０００６】
ディスク装置１の内部には、金属板で形成された筐体３が設けられている。図６、図７および図８に示すように、この筐体３の底板３Ａの上面が前記マガジン２を案内する案内面である。前記底板３Ａの裏面には、略Ｌ字形状のロック部材４が回転軸４ａを中心に図示α１およびα２方向に回動自在に設けられている。ロック部材４のＹ１側の先端にはロックピン４ｂが形成され、底板３Ａに形成された略扇形状の孔３ａから筐体３の内部方向（図示Ｚ１方向）に突出している（図８参照）。またロック部材４の他方の端部には、コイルスプリングなどからなる付勢部材６が設けられており、ロック部材４は常時図示α１方向に付勢されている。
【０００７】
図６に示すように、マガジン２は開口部２Ａ側をディスク装置１の正面パネル１ａに対向させた状態で、前記マガジン挿入口からディスク装置１の内部に挿入される。
この挿入の途中では、前記マガジン２の底面２Ｂのガイド溝２ａの先端の傾斜部２ｂに、前記ロック部材４のロックピン４ｂが当接する。この際、マガジン２の押し込み力により、ロックピン４ｂが、前記傾斜部２ｂに沿って図示α２方向に回動させられる。図７に示すように、さらにマガジン２がＹ１方向に挿入されると、ロックピン４ｂはガイド溝２ａ内を摺動する。そして、図６の一点鎖線に示すように、ロックピン４ｂがガイド溝２ａの最奥部の終端に達すると、付勢部材６の付勢力により図示α１方向に回動させられるため、ロックピン４ｂがロック凹部２ｃに入り込む。これにより、マガジン２が筐体３内に固定されたロック状態となる。
【０００８】
筐体３内にロック状態となったマガジン２の開口部２Ａと対向する領域３Ｂ（図６参照）には、ディスクＤの再生および／又は記録を行なうディスク駆動部、および前記マガジン２とディスク駆動部との間でディスクＤの搬送を行なう搬送手段が設けられている（図示せず）。
【０００９】
そして、前記搬送手段により、マガジン２内のディスクＤが選択されてディスク駆動部によって搬送され、前記ディスク駆動部でディスクＤに記録された信号の再生等が行われる。また再生等の終了後には、前記搬送手段により、ディスク駆動部内のディスクＤがマガジン２内に戻される。
【００１０】
そして図示しないロック解除手段により前記ロック部材４がロック解除方向（α２方向へ回動させられてマガジンに対するロックが解除される。これと同時に図示しない排出部材によりマガジン２が排出方向（Ｙ２方向）へ押し出される。
【００１１】
【発明が解決しようとする課題】
しかし、上記のマガジンの案内およびロックのための機構では、以下に示す問題がある。
図６以下に示す従来例では、マガジン２が挿入されたときに、マガジン２の１箇所に設けられたロック凹部２ｃにロックピン４ｂが入り込んでマガジン２がロックされるものであるため、マガジン２のロック状態が不安定である。したがってマガジン装填部において、マガジン２の周囲に隙間がある場合には、例えば車載用の場合の車体振動によりロック状態であるはずのマガジン２が前記ロックピン４ｂを中心として平面的に回動し、マガジン２の位置が定まらないなどの問題が生じる。
【００１２】
また前記ロック部材４は、マガジン２をロックする機能を発揮するだけであり、ロックピン４ｂが前記ロック凹部２ｃから抜け出たときに、マガジン２をＹ２方向へ排出するために排出部材が別途必要になる。
【００１３】
以上から、図６以下に示す構造を採用してマガジン２を複数箇所でロックし、さらにマガジン２を排出させる排出部材を設けると、結果的にマガジン装填部に設ける機構部品が多くなり、また機構が非常に複雑になる。
【００１４】
本発明は上記従来の課題を解決するためのものであり、マガジンをディスク装置の筐体内に安定した状態で固定できるようにし、しかも最少の部品で構成でき、さらにロック部材を用いてマガジンの排出動作を行わせることができるマガジン装填式の記録媒体駆動装置を提供することを目的としている。
【００１５】
【課題を解決するための手段】
本発明は、記録媒体を収納するマガジンを装填するマガジン装填部と、前記マガジン内の記録媒体を駆動する駆動部が設けられた記録媒体駆動装置において、前記マガジン装填部にはマガジンを案内する案内面が設けられ、この案内面には、マガジンの挿入方向と交叉する交叉方向に延びる長孔と、この長孔に対し前記交叉方向に間隔を開けて設けられた制御孔とが設けられ、この制御孔は、前記挿入方向に沿って延びる案内部と、この案内部から前記交叉方向へ曲がるロック部とを有すると共に、
前記長孔に第１の突部が、前記制御孔に第２の突部がそれぞれ案内されて設けられ、少なくとも第２の突部はマガジンの排出方向および前記ロック部内に入り込む方向へ付勢部材によって付勢され、
前記マガジンには、挿入方向へ延びて前記第１の突部と第２の突部のそれぞれに案内される一対のガイド部と、前記第２の突部が前記ロック部に入り込む方向へ移動したときに、前記第１の突部と第２の突部がそれぞれ係合する一対のロック凹部とが設けられていることを特徴としている。
【００１６】
例えば、前記第１の突部と第２の突部は共に支持板上に設けられ、前記長孔と前記制御孔のロック部は、マガジン挿入方向とほぼ直交する方向へ互いに平行に延び、前記制御孔の案内部は、前記第２の突部がロック部から外れる位置まで移動したときに前記第１の突部が移動する位置を中心とする円弧軌跡上に位置しているものとなる。
【００１７】
上記では、マガジン装填部からマガジンを排出するときに、前記付勢部材の付勢力に抗して前記第２の突部を制御孔のロック部から外れる方向へ移動させる押圧力を前記支持板に与えるロック解除駆動部材が設けられる。
【００１８】
本発明における記録媒体駆動装置は、たとえばＣＤ（コンパクトディスク）プレーヤ、ＤＶＤ（ディジタルバーサタイルディスク）プレーヤまたはＭＤプレーヤ、あるいはこれらのコンパチブルプレーヤ等のディスク装置に搭載することが可能である。あるいはディスク以外の記録媒体、例えばＩＣが搭載されたマガジンを装填するものであってもよい。
【００１９】
本発明における一般的な実施形態としては、前記マガジンの案内およびロック手段を筐体の底面に設けたものであるが、その他筐体の天井面、または側面に設けることもできる。あるいは、底面と天井面の双方に設けることも可能であり、この場合には底面および天井面のそれぞれにマガジンの案内およびロック手段を設ける。
【００２０】
本発明の記録媒体駆動装置では、１個のロック部材に一対の突部が設けられている。この突部はロック部材に固定されたピンであっても良いし、ロック部材から折り曲げられて一体に形成されたもの、あるいはロック部材と一体に樹脂成形されたもの、あるいは樹脂などで形成された突部が金属製のロック部材に一体に固着されているものなどである。
【００２１】
マガジンの挿入動作にしたがって、第２の突部が押されると、ロック部材は第１の突部を支点として回動し、その後に制御孔のロック部に沿ってロック部材が移動し、この動作によりマガジンの２箇所がそれぞれの突部によりロックされる。また、第２の突部が制御孔のロック部から抜け出る際のロック解除動作では、ロック部材を、長孔および、制御孔のロック部のそれぞれに沿ってほぼ直線的あるいは直線的に動作させるだけで、各突部がマガジンの各ロック凹部から抜け出て、マガジンのロックが解除される。よって、ロック解除駆動部材によりロック部材を直線的に動作させるだけの簡単な駆動方法で、２つの突部を各ロック凹部から抜け出させることができる。
【００２２】
さらに、第２の突部がマガジンのロック凹部から抜け出た後は、ロック付勢部材の付勢力で、ロック部材が回動し、この回動動作によりマガジンが排出されるので、マガジンの排出が確実に行われる。
【００２３】
【発明の実施の形態】
以下、本発明について図面を参照して説明する。
図１は本発明のマガジン装填式の記録媒体駆動装置の一例として、車載用のディスクチェンジ方式のディスク装置のマガジン装填部を示す斜視図である。
図１に示す符号１１Ａは、金属板などで形成された筐体１１の一部に設けられたマガジン装填部を示している。前記筐体１１は、ディスク装置の全体を覆う外装ケース（図示せず）の中に固定されている。図のＹ１方向がマガジンの挿入方向、Ｙ２方向がマガジンの排出方向である。また、Ｘ１方向が後述するロック部材１５によるロック方向、Ｘ２方向が非ロック方向（ロック解除方向）である。
【００２４】
そして、Ｙ２方向のディスク装置の前部には、各種の操作スイッチやマガジン挿入部を有する前面パネルが設けられている（図示せず）。なお、後述するマガジンＭは、マガジン挿入部から挿入されて、前記マガジン装填部１１Ａに装填される。
【００２５】
図示Ｙ１側のディスク装置の奥部には、ディスクＤの再生および／または記録を行なうディスク駆動部、およびマガジンＭとディスク駆動部との間でディスクＤの搬送を行なうディスク搬送手段などを有する駆動ユニットＫが設けられている。
【００２６】
図１に示すように、マガジン装填部１１Ａの底部には、筐体１１を構成する板金材料で形成された底板１１Ｃが設けられ、この底板１１Ｃの上面がマガジンＭの案内面となっている。底板１１Ｃには、マガジン挿入方向と直交する図示Ｘ１−Ｘ２方向へ延びる長孔１３と、略Ｌ字形状に切り欠かれた制御孔１４とが穿設されている。
【００２７】
図３に示すように、制御孔１４は、案内部１４ａとこれに連続して前記ロック方向（Ｘ１方向）へ延びるロック部１４ｂとから成っている。前記案内部１４ａは、後述する案内・ロックピン１６が前記長孔１３のＸ２側の端（非ロック側）に位置しているとき、前記案内・ロックピン１６の中心とする円弧軌跡に一致している。また前記ロック部１４ｂは前記長孔１３と同様に、マガジン挿入方向に対して直交する方向（Ｘ１方向）へ延びている。すなわち、マガジン挿入方向と直交する前記ロック方向（Ｘ１方向）に向けて、前記長孔１３とロック部１４ｂは互いに平行に延びている。また長孔１３とロック部１４ｂがＸ１方向に延びる同一直線上に一致していてもよい。
【００２８】
また、長孔１３の長さ寸法Ｌ１と制御孔１４のロック部１４ｂの長さ寸法Ｌ２は、マガジン挿入方向と直交する方向へ同寸法である（Ｌ１＝Ｌ２）。また制御孔１４の案内部１４ａのＹ方向への長さ寸法はＬ３である。またマガジン装填部１１Ａの図示Ｘ１側には、図示Ｚ１方向に突出した案内凸部１２ａ，１２ｂが形成されており、後述するマガジンＭの底板Ｍ２に形成されたガイド溝Ｍｃ内に挿入可能となっている。
【００２９】
マガジン装填部１１Ａの前記底板１１Ｃの下面側（図示Ｚ２側）には、ロック部材１５が設けられている。ロック部材１５のＸ１およびＸ２の両端部には、図示Ｚ１方向に延びる案内・ロックピン１６および１７が固定支持され、ロック部材１５は案内・ピン１６および１７の支持板となっている。前記案内・ロックピン１６および１７は、上記長孔１３および制御孔１４内にそれぞれ挿通され、この長孔１３および制御孔１４内を移動可能となっている。そして、案内・ロックピン１６，１７の先部では、前記底板１１Ｃの表面（案内面）上に位置する第１の突部となる摺動部材１８および第２の突部となる摺動部材１９が嵌着されている。なお、案内・ロックピン１６と１７の軸中心間の間隔はＷ０である（図３参照）。
【００３０】
図１および図３，図４に示すように、前記ロック部材１５には掛止片１５ａおよび押圧片１５ｂが図示Ｚ２方向に折り曲げ形成されている。掛止片１５ａには、コイルスプリングなどからなるロック付勢部材および排出付勢部材としての付勢力を発揮する付勢部材２１の一端が掛けられ、他端は底板１１Ｃの折曲片１１Ｂに形成された掛止部１１ａに掛けられている。この付勢部材２１の付勢力により、ロック部材１５はＦ方向へ付勢されている。その結果、ロック部材１５は全体が、マガジン挿入方向と直交するＸ１方向（ロック方向）へ付勢され、且つロック部材１５は、一方の前記案内・ロックピン１６の軸中心に対して時計回り方向（マガジン排出方向）へ付勢されている。
【００３１】
また底板１１Ｃの下面には、検出スイッチ２２が固設されている。ロック部材１５が図４において符号（ロ）で示すロック位置に至ったときに、前記ロック部材１５に形成された前記押圧片１５ｂにより検出スイッチ２２のアクチュエータ２２ａが押される。
【００３２】
またロック部材１５には、Ｌ字形状のロック解除部１５ｃが形成されており、ロック部材１５が図４のロック位置（ロ）にあるときに、図１および図４に示すロック解除駆動部材３１により前記ロック解除部１５ｃがＸ２方向へ押されることにより、前記摺動部材１７が前記制御孔１４のロック部１４ｂから抜け出ることができるようになっている。
【００３３】
図２はマガジンの底板Ｍ２と前記摺動部材１８，１９との関係を示す断面図である。
図２に示すように、案内・ロックピン１６，１７の先部に固定された摺動部材１８，１９には、案内面（底板１１Ｃの上面）から上方へ突出する軸状の摺動突部１８ｃ，１９ｃが設けられ、その先部には、前記摺動突部１８ｃ，１９ｃよりも直径の大きいフランジ状の頭部１８ａ，１９ａが一体に形成されている。前記頭部１８ａ，１９ａの外周部の下面には、テーパ部１８ｂ，１９ｂが形成されている。なお、底板１１Ｃの上面の案内面から前記頭部１８ａ，１９ａの下面までの高さ寸法はｈである。
【００３４】
図３は図１のディスク装置のマガジン装填部とマガジンの底板との関係を示す平面図、図４はマガジンロック状態を示す平面図である。
図３では、マガジンＭを断面図で示しており、図３ではマガジンの底板Ｍ２の内面が見えている。またマガジンＭの挿入方向先端（図示Ｙ１方向）が開口部Ｍ１である。
【００３５】
マガジンＭの内部には、図示Ｙ１方向へ引き出し可能なトレイが高さ方向に積層されて収納されている（図示せず）。このトレイは、図１に示す駆動ユニットＫ内に設けられたトレイ引出し装置により、図示Ｙ１方向に引き出され、またディスクが駆動ユニットＫ内に装着されたときにトレイがマガジンＭ内へ戻されるようになっている。
【００３６】
図３に示すように、マガジンの底板Ｍ２の前記開口部Ｍ１側には、略Ｌ字形状のガイド溝ＭａおよびＭｂが設けられている。図２にも示すように、前記ガイド溝ＭａおよびＭｂは、マガジンＭの底板Ｍ２にて内外へ貫通して形成されている。ガイド溝Ｍａ，Ｍｂは、マガジンＭの挿入方向に延びる挿入部Ｍａ１，Ｍｂ１と、その奥側でマガジンＭの挿入方向と直交する方向に延びる当接部Ｍａ２，Ｍｂ２とを有し、さらに前記当接部Ｍａ２，Ｍｂ２からＸ１方向（ロック方向）へ延びるロック凹部Ｍａ３，Ｍｂ３を有している。
【００３７】
図３および図５に示すように、前記ガイド溝Ｍａ，Ｍｂの挿入部Ｍａ１，Ｍｂ１、当接部Ｍａ２，Ｍｂ２、およびロック凹部Ｍａ３，Ｍｂ３の全ての内側部では、底板Ｍ２の内面側に段差を有して、挿入部およびロック凹部内に延びる薄肉の挟持部Ｍａ４，Ｍｂ４が形成されている。
【００３８】
図２に示すように、前記薄肉の挟持部Ｍａ４，Ｍｂ４の厚さ寸法ｔ１は、前記摺動部材１８，１９の頭部１８ａ，１９ａの下面と案内面（天板１１Ｃの表面）との高さ寸法ｈよりもわずかに薄く形成されている。また、マガジンＭの底板Ｍ２の厚さ寸法ｔ２は、前記案内面から頭部１８ａ，１８ｂの上面までの高さとほぼ等しいか、あるいは前記厚さ寸法ｔ２が、前記高さ寸法以上となっている。
【００３９】
図３に示すように、前記ガイド溝Ｍａとガイド溝Ｍｂとの中心間の間隔寸法Ｗ１は、前記摺動部材１８と摺動部材１９の軸中心の間隔Ｗ０と同寸法に設定されている（Ｗ０＝Ｗ１）。よって、図３に示すＹ１方向へマガジンＭが挿入されると、マガジンＭのガイド溝Ｍａ，Ｍｂの前記挟持部Ｍａ４，Ｍｂ４が、摺動部材１８，１９の頭部１８ａ，１９ａと案内面（底板１１Ｃの表面）との間に入り込むことが可能である。このとき、摺動部材１８，１９の上面はマガジンＭ内の底板Ｍ２からマガジン内に大きく突出することがない。
【００４０】
またガイド溝Ｍｂの当接部Ｍｂ２は、ガイド溝Ｍａの当接部Ｍｂ２よりも、マガジン挿入方向（Ｙ１方向）へ寸法Ｌ４だけ前方に位置している。この長さ寸法Ｌ４は、上記制御孔１４の案内部１４ａのＹ方向の長さ寸法Ｌ３とほぼ同寸法に設定されている（Ｌ３＝Ｌ４）。
【００４１】
また、底板Ｍ２の下面には、マガジンの挿入方向である図示Ｙ方向へ直線状に延びるガイド溝Ｍｃが形成されている。このガイド溝Ｍｃは前記底板Ｍ２の下面にて凹状に形成されており、底板Ｍ２を貫通していない。
【００４２】
上記のように構成されるマガジン装填式の記録媒体駆動装置の動作について説明する。
図３に示されるように、マガジンＭがマガジン装填部１１Ａに装填される前の待機状態では、ロック部材１５は待機位置（イ）にある。すなわち、ロック部材１５に設けられた案内・ロックピン１６は、長孔１３の非ロック方向（Ｘ２方向）の端部の符号▲１▼に位置している。また他方の案内・ロックピン１７は、制御孔１４の案内部１４ａのＹ２側端部の符号▲３▼に位置している。ロック部材１５は、付勢部材２１の付勢力ＦのＹ２方向成分により、符号▲１▼の位置にある前記案内・ロックピン１６を支点としてマガジン排出方向（図示β１方向）へ回動させられている。
なお、ロック部材１５が符号（イ）に位置する状態が、マガジン装填前の待機位置およびマガジンＭをマガジン装填部１１Ａから排出する排出位置である。
【００４３】
マガジンＭがディスク装置の筐体１１のマガジン装填部１１Ａに図示Ｙ１方向から挿入されると、先ずマガジンＭの底板Ｍ２に形成されたガイド溝Ｍｃ内にマガジン装填部１１Ａの底板１１Ｃ上に固定された案内凸部１２ａが入り込む。さらにマガジンＭが挿入されると、ガイド溝Ｍｃ内に案内凸部１２ｂが入り込む。よって、マガジンＭのガイド溝Ｍｃは一対の案内凸部１２ａと１２ｂに案内されて、Ｙ１方向に直線的に導かれる。
【００４４】
図３に示すように、マガジンＭのガイド溝Ｍｂはガイド溝Ｍａよりも挿入方向（図示Ｙ１方向）に形成されているため、マガジンＭが挿入されていく過程で、詳しくは、前記案内凸部１２ｂがガイド溝Ｍｃ内に入る直前に、先に前記ガイド溝Ｍｂの挿入部Ｍｂ１に形成された挟持部Ｍｂ４が、摺動部材１９の頭部１９ａと底板１１Ｃの表面（案内面）との間に入り込む。さらにマガジンＭが図示Ｙ１方向に挿入されると、摺動部材１９の摺動突部１９ｃがガイド溝Ｍｂの当接部Ｍｂ２に当接する。このとき摺動部材１８の頭部１８ａと案内面との間に、前記ガイド溝Ｍａの挿入部Ｍａ１に形成された挟持部Ｍａ４が入り込む。
【００４５】
このように、マガジンＭが挿入される過程で、マガジンＭの底板Ｍ２に形成された挟持部Ｍａ４，Ｍｂ４が、摺動部材１８，１９の頭部１８ａ，１９ａと案内面との間に挟持されるので、マガジンＭが挿入される間、摺動部材１８，１９の摺動突部１８ｃ，１９ｃが前記ガイド溝Ｍａ，Ｍｂから外れることがない。
【００４６】
さらにマガジンＭがＹ１方向に挿入されると、摺動部材１９の摺動突部１９ｃがガイド溝Ｍｂの当接部Ｍｂ２によって挿入方向（Ｙ１方向）へ押圧される。よって、ロック部材１５は、図示左側の案内・ロックピン１６を支点として図示β２方向に回動させられ、前記摺動部材１９は破線で示す符号▲４▼の位置に至る。このとき、ロック部材１５は、付勢部材２１の付勢力ＦのＸ１方向成分の力を受けているため、ロック部材１５は図示Ｘ１方向（ロック方向）に移動させられ、案内・ロックピン１７が制御孔１４のロック部１４ｂ内に入り込む。その結果、ロック部材１５は図４に示すロック位置（ロ）に至る。
【００４７】
よって、図示左側の摺動部材１８は、長孔１３内をＸ１方向に移動した符号▲２▼に示す位置に至り、同時に摺動部材１９は、図３に示す制御孔１４内の符号▲４▼の位置から、Ｘ１方向に移動した図４に示す符号▲５▼の位置に移動させられる（図４参照）。
【００４８】
このとき、摺動部材１８，１９は、マガジンＭのそれぞれのガイド溝Ｍａ，Ｍｂ内をＸ１方向に移動する。よって、摺動部材１８，１９はロック凹部Ｍａ３，Ｍｂ３に入り込む。これにより、マガジン装填部１１Ａ内においてマガジンＭがＹ２方向へ排出できないようにロックされる。このロックは、２つの摺動部材１８と１９が、マガジンＭに形成された２箇所のロック凹部Ｍａ３，Ｍｂ３に嵌合することにより行われるため、マガジンＭは２箇所により安定してロックされる。
【００４９】
図４に示すロック位置（ロ）にあるロック部材１５には、付勢部材２１による付勢力ＦのＸ１方向への分力が作用しているため、摺動部材１８，１９により、マガジンＭのガイド溝Ｍａ，Ｍｂのロック凹部Ｍａ３，Ｍｂ３がＸ１方向へ押し付けられている。マガジンＭはこの押し付け力によりマガジン装填部１１ＡのＸ１側の壁面又は一対の案内凸部１２ａ，１２ｂの側面に押し付けられることになり、マガジン装填部１１Ａに位置しているマガジンＭのがたつきが防止できる。
【００５０】
図５に示すように、前記ロック状態で、マガジンＭのガイド溝Ｍａ，Ｍｂに形成されたロック凹部Ｍａ３，Ｍｂ３の挟持部Ｍａ４，Ｍｂ４が、案内面と摺動部材１８，１９の頭部１８ａ，１９ａとの間に挟まれるので、このロック状態において、摺動部材１８，１９が前記ロック凹部Ｍａ３，Ｍｂ３から抜け出ることがなく、マガジンＭは安定した状態でマガジン装填部１１Ａ内に保持される。
【００５１】
このように、摺動部材１８，１９がマガジンＭのガイド溝Ｍａ，Ｍｂの挿入部Ｍａ１，Ｍｂ１からロック凹部Ｍａ４，Ｍｂ４に至る間、頭部１８ａ，１９ａの下に挟持部Ｍａ４，Ｍｂ４が挟まれるため、マガジンＭの底板Ｍ２が軟質でまた肉厚が薄く変形しやすいものでも、底板Ｍ２の曲がりや撓みが前記頭部１８ａ，１９ａによって案内面に押し付けられることにより矯正される。よって、底板Ｍ２は案内面に密着し、その結果他の案内凸部１２ａ，１２ｂがマガジンＭの底面のガイド溝Ｍｃから抜け出にくくなる。
【００５２】
一方、図４に示すように、ロック部材１５がロック位置（ロ）に移動すると、ロック部材１５の押圧片１５ｂにより検出スイッチ２２のアクチュエータ２２ａが押圧され、検出スイッチ２２のスイッチの状態が切り換えられる。これにより、マガジン装填部１１Ａ内にマガジンＭが装填されたことを検知することができる。
【００５３】
ディスク装置の正面パネル又はリモコンなどに設けられたマガジン排出スイッチなどが操作されると、マガジン装填部１１ＡからマガジンＭが排出させられる。このとき、ロック部材１５が図４に示す符号（ロ）の位置にあり、ロック解除駆動部材３１によりロック部材１５のロック解除部１５ｃがＸ２方向へ押される。この押し力により、案内・ロックピン１６と１７は、Ｘ方向に延びる長孔１３および同じ方向に延びるロック部１４ｂ内をＸ２方向へ移動する。すなわち前記長孔１３とロック部１４ｂが同じ方向に平行に延びているため、ロック解除部１５ｃに与えられるＸ２方向への押し力によりロック部材１５全体がＸ２方向へ直線移動する。
【００５４】
前記直線移動の結果、案内・ロックピン１７が前記ロック部１４ｂを抜け出て案内部１４ａに至ると、付勢部材２１の付勢力により、▲１▼の位置へ移動した左側の案内・ロックピン１６を支点として、ロック部材１５がβ１方向へ回動させられる。このとき、案内・ロックピン１６，１７に固定された摺動部材１８，１９がマガジンＭのロック凹部Ｍａ３，Ｍｂ３から抜け出るとともに、摺動部材１９によりマガジンＭのガイド溝Ｍｂの当接部Ｍｂ２がＹ２方向へ押され、マガジンＭがマガジン装填部１１ＡからＹ２方向へ排出される。
この間も、摺動部材１８，１９の頭部１８ａ，１９ａの下にマガジンＭの挟持部Ｍａ４，Ｍｂ４が挟まれているので、マガジンＭは確実に排出させられる。
【００５５】
【発明の効果】
以上詳述した本発明によれば、マガジンを２箇所でロックすることができるため、マガジン装填部内におけるマガジンの回動を防止できる。よって、マガジンをマガジン装填部に安定して保持することができる。またロック部材を用いてマガジンを排出させることができる。
【００５６】
マガジンの複数箇所でのロックおよびマガジンの排出を、１個のロック部材および１個の付勢部材により実現することが可能であり、部品数を最少にでき、また構造を簡単にできる。
【図面の簡単な説明】
【図１】本発明のマガジン装填式の記録媒体駆動装置の一例としてディスク装置のマガジン装填部を示す斜視図、
【図２】マガジンの底板と突部との係合状態を示す断面図、
【図３】図１のディスク装置のマガジン装填部とマガジンの底板とを示す平面図、
【図４】マガジン装填部にマガジンが装填された状態を示す平面図、
【図５】マガジンのガイド溝と突部との係合状態を示す部分斜視図、
【図６】従来のマガジン装填式の記録媒体駆動装置におけるマガジンのロック状態を示す平面図、
【図７】従来のマガジンの挿入および排出動作を示す平面図、
【図８】マガジンロック状態を示す図６のＶＩＩＩ−ＶＩＩＩ線断面図、
【符号の説明】
１１Ａ  マガジン装填部
１３  長孔
１４  制御孔
１４ａ  案内部
１４ｂ  ロック部
１５  ロック部材
１６，１７  案内・ロックピン
１８，１９  摺動部材
１８ａ，１９ａ  頭部
１８ｂ，１９ｂ  テーパ部
１８ｃ，１９ｃ  摺動突部
２１  付勢部材
３１  ロック解除駆動部材
Ｍ  マガジン
Ｍ１  開口部
Ｍ２  底板
Ｍａ，Ｍｂ  ガイド溝
Ｍｃ  ガイド溝
Ｍａ１，Ｍｂ１  挿入部
Ｍａ２，Ｍｂ２  当接部
Ｍａ３，Ｍｂ３  ロック凹部
Ｍａ４，Ｍｂ４  挟持部
Ｄ  ディスク
【図１】
0003608963.tif 000002
【図２】
0003608963.tif 000003
【図３】
0003608963.tif 000004
【図４】
0003608963.tif 000005
【図５】
0003608963.tif 000006
【図６】
0003608963.tif 000007
【図７】
0003608963.tif 000008
【図８】
0003608963.tif 000009